(57)【要約】【課題】部品点数が少なく構成を簡素化できるとともに、引掛け端子を保護できるようにした直付け型のダウンライトを提供することにある。【解決手段】ダウンライト１は、天井面からなる取付け面Ｓに固定される取付け部材２と、この部材に取外し可能に支持されるダウンライト本体１１とを具備する。取付け部材２は、電源の供給を受ける一対の接続部５を備えている。ダウンライト本体１１の取付け部材側に配置される端部をなした本体端部材１３に、保護突出部１７と一対の引掛け端子１９を設ける。一対の引掛け端子１９は、接続部５に機械的かつ電気的に接続されるものであつて、保護突出部１７で囲まれた内側領域に配設されている。保護突出部１７は、ダウンライト本体１１を縦置きする場合の脚として機能し得るように引掛け端子１９より高く形成されていることを特徴としている。【選択図】      図２
2009104948.tif 000002
【特許請求の範囲】
【請求項１】
電源の供給を受ける一対の接続部を備えて取付け面に固定される取付け部材と；
この取付け部材側に配置される端部に保護突出部を設けるとともに、この保護突出部で囲まれた前記端部の内側領域に位置して前記接続部に機械的かつ電気的に接続される一対の引掛け端子を設け、かつ、前記保護突出部が脚として機能し得るように前記引掛け端子より高く形成されていて、前記取付け部材に取外し可能に支持される電気器具本体と；
を具備したことを特徴とする直付け型電気器具。
【請求項２】
前記電気器具本体が前記取付け部材に対して回動されることで前記一対の引掛け端子が前記接続部に着脱されるものであって、前記保護突出部が前記電気器具本体の中心軸線を中心とする同一半径で描かれる円上に設けられているとともに、この保護突出部に嵌合するガイド壁部を前記取付け部材が有していることを特徴とする請求項１に記載の直付け型電気器具。
【請求項３】
前記取付け部材が天井面からなる取付け面に固定されているとともに、この取付け部材の周部を張出し壁及びこの張出し壁から下方に折れ曲がって周方向に切れ目なく連続するカバー壁で形成し、前記保護突出部が前記電気器具本体の中心軸線を中心とする同一半径で描かれる円上に形成されているとともに、この保護突出部を前記カバー壁の内側に配置し、かつ、前記カバー壁の下端を前記保護突出部の上端より低くしたことを特徴とする請求項１又は２に記載の直付け型電気器具。
【発明の詳細な説明】
【技術分野】
【０００１】
本発明は、天井面等の取付け面に直付けされる例えばダウンライト等の直付け型電気器具に関する。
【背景技術】
【０００２】
従来、天井面に固定された引掛けシーリングとこれに取付けられる引掛けシーリングキャップを用いて、天井面に直付けされる照明器具が知られている（例えば、特許文献１参照。）。
【０００３】
この照明器具が備える引掛けシーリングは一対の接続部を有し、引掛けシーリングキャップは、その上面から突出されて先端がＬ字状に屈曲されて一対の接続部に機械的及び電気的に接続される引掛け端子を有している。引掛けシーリングに対して引掛けシーリングキャップを回動操作することに伴い、引掛け端子を接続部に着脱可能に接続できる。又、この照明器具は、引掛けシーリングが挿通する開口を有した器具本体と、弾性押え具とを備えている。弾性押え具は、引掛けシーリングキャップの係止突条の上面に支持されて、器具本体をその下面から天井面に向けて弾性的に圧接して、器具本体を支持するようになっている。
【特許文献１】特開平５−５４７１０号公報（段落0023−0040、図１−図５）
【発明の開示】
【発明が解決しようとする課題】
【０００４】
特許文献１の照明器具では、引掛けシーリングが通る開口を有した器具本体を引掛けシーリングキャップで直接支持できないので、弾性押え具を用いることを余儀なくされており、部品点数が多く、それに伴い着脱する際の工数も多いという点で不利である。
【０００５】
更に、特許文献１の照明器具には、引掛けシーリングキャップの上面に突設された引掛け端子を保護する工夫がない。そのため、引掛けシーリングキャップが置かれた際に、引掛け端子に載置面の埃が付着することがある。これとともに、引掛け端子が載置面に当たることに伴う衝撃で、引掛け端子が変形する恐れが考えられ、更に、引掛け端子の根元部が埋まっている引掛けシーリングキャップの樹脂部分にひびが入る恐れも考えられる。
【０００６】
引掛け端子が変形をすると、引掛けシーリングの接続部に対する電気的かつ機械的な接続の信頼性の低下がもたらされることがあり、載置面の埃が引掛け端子に付着した場合には電気的接続の信頼性を低下させる因子となる。又、引掛け端子の根元部が埋まっている引掛けシーリングキャップの樹脂部分にひびが入った場合には、そのひびが照明器具に加わる振動等で次第に成長し、やがては根元部の破損を招いて、器具本体が天井から落ちる恐れが考えられる。
【０００７】
本発明の目的は、部品点数が少なく構成を簡素化できるとともに、引掛け端子を保護できるようにした直付け型電気器具を提供することにある。
【課題を解決するための手段】
【０００８】
請求項１の発明は、電源の供給を受ける一対の接続部を備えて取付け面に固定される取付け部材と；この取付け部材側に配置される端部に保護突出部を設けるとともに、この保護突出部で囲まれた前記端部の内側領域に位置して前記接続部に機械的かつ電気的に接続される一対の引掛け端子を設け、かつ、前記保護突出部が脚として機能し得るように前記引掛け端子より高く形成されていて、前記取付け部材に取外し可能に支持される電気器具本体と；を具備したことを特徴としている。
【０００９】
この請求項１の発明では、電気器具本体に一対の引掛け端子を直接設けて、これらの引掛け端子を取付け部材の接続部に引掛けることにより、取付け部材との電気的かつ機械的な接続を形成して取付け面に電気器具本体を直付けできる。このため、電気器具本体を取付け面に押し付ける部品を要さないので、部品点数を削減できるとともに、電気器具本体の着脱の手間も軽減できる。
【００１０】
更に、請求項１の発明では、例えば取付け面に固定された取付け部材に電気器具本体を取付ける作業をするまでの間、引掛け端子が設けられた電気器具本体の端部を下に向けてこの電気器具本体を縦にして載置面に待機させて置く場合に、電気器具本体の脚として保護突出部を用いることができる。こうして保護突出部を用いた状態では、引掛け端子より高い保護突出部によって、引掛け端子が載置面に当たらないように保護できる。したがって、載置面の埃が引掛け端子に付着することも、載置面によって引掛け端子が変形する恐れも、引掛け端子の根元部が埋まっている樹脂部分にひびが入る恐れも回避できる。
【００１１】
請求項２の発明は、請求項１の発明において、前記電気器具本体が前記取付け部材に対して回動されることで前記一対の引掛け端子が前記接続部に着脱されるものであって、前記保護突出部が前記電気器具本体の中心軸線を中心とする同一半径で描かれる円上に設けられているとともに、この保護突出部に嵌合するガイド壁部を前記取付け部材が有していることを特徴としている。
【００１２】
この請求項２の発明では、取付け面に固定された取付け部材のガイド壁部に、電気器具本体の保護突出部が嵌合されることで、取付け部材の中心軸線と電気器具本体の中心軸線が位置合わせされる。そのため、この後に電気器具本体をガイド壁部に沿って回動させることにより、電気器具本体の一対の引掛け端子を取付け部材の一対の接続部に容易に接続できる。したがって、取付け部材に対する電気器具本体の取付け作業性を向上できる。
【００１３】
請求項３の発明は、請求項１又は２の発明において、前記取付け部材が天井面からなる取付け面に固定されているとともに、この取付け部材の周部を張出し壁及びこの張出し壁から下方に折れ曲がって周方向に切れ目なく連続するカバー壁で形成し、前記保護突出部が前記電気器具本体の中心軸線を中心とする同一半径で描かれる円上に形成されているとともに、この保護突出部を前記カバー壁の内側に配置し、かつ、前記カバー壁の下端を前記保護突出部の上端より低くしたことを特徴としている。
【００１４】
この請求項３の発明では、取付け部材のカバー壁が、電気器具本体の保護突出部と天井面との間の隙間を目隠しするので、取付け状態での体裁を向上できる。しかも、天井面に沿って水が伝わることがあっても、その水をカバー壁で保護突出部より下方に導けるため、保護突出部で囲まれていて一対の引掛け端子が設けられている領域への浸水を抑制することができる。
【発明の効果】
【００１５】
請求項１の発明によれば、部品点数が少なく構成を簡素化できるとともに、一対の引掛け端子を保護できるようにした直付け型電気器具を提供できる。
【００１６】
請求項２の発明によれば、電気器具本体の一対の引掛け端子を取付け部材の一対の接続部に容易に接続できるので、取付け部材に対する電気器具本体の取付け作業性を向上できる。
【００１７】
請求項３の発明によれば、取付け状態での体裁を向上できるとともに、一対の引掛け端子が設けられている領域への浸水を抑制することができる。
【発明を実施するための最良の形態】
【００１８】
図１〜図５を参照して本発明の第１実施形態を説明する。
【００１９】
図１及び図２中符号１は直付け型の電気器具例えばダウンライトを示している。このダウンライト１は、建物の取付け面Ｓ、例えば屋内の天井面又は建物の屋外に位置する軒下の天井面等に直付けして設置される。
【００２０】
ダウンライト１は、取付け部材２と、これに着脱可能に取付けられる電気器具本体例えば灯具をなすダウンライト本体１１を備えている。
【００２１】
図２及び図３に示すように取付け部材２は、合成樹脂製のベース３とカバー４とを、これらの一方に設けた複数の爪（図示しない）と他方に設けた複数の爪受け（図示しない）を係合することによってドーナツ状に組立てられている。図２及び図３中符号２ａは取付け部材２のセンター孔を示している。
【００２２】
カバー４は、取付け面Ｓに接する壁部４ａとこの壁部４ａの外周から折れ曲がって略円筒状をなした側壁部４ｂを有している。壁部４ａは、取付け部材２の一端壁、本実施形態では取付け部材２の上壁をなしている。本実施形態で側壁部４ｂは取付け部材２の外周壁をなしている。ベース３は、カバー４の一端壁と平行で取付け部材２の他端壁、本実施形態では取付け部材２の下壁をなす壁部を有している。
【００２３】
取付け部材２は、センター孔２ａの周りに位置してベース３に形成された複数の固定用凹部３ａ（図３参照）を通って取付け面Ｓにねじ込まれる図示しない複数の木ねじにより取付け面Ｓに固定されている。
【００２４】
取付け部材２は一対の接続部５を有している。これらの接続部５は、センター孔２ａの周りに、互いに１８０度隔てて取付け部材２の中心軸線（図示しない）を対称軸として点対称に設けられている。接続部５は、図２及び図４に示すようにベース３に開けられた接続孔６とこの接続孔６の近傍に配置された給電端子７とを有している。
【００２５】
詳しくは、図４に示すように接続孔６は、第１孔部６ａに第２孔部６ｂを連続して形成されている。第１孔部６ａは円形状である。第２孔部は、長孔状であり、その孔の幅は第１孔部６ａの径より狭い。したがって、接続孔６は略瓢箪状をなしている。
【００２６】
給電端子７は導電性に優れた金属の板ばねにより形成されている。給電端子７は、ベース３の裏面に対して直角となるように取付け部材２に内蔵されて（図２参照）、例えばベース３の裏面に設けた図示しないばね支持部に弾性変形が可能な状態に支持されて接続孔６の近傍に配置されている。給電端子７がその中間部に有した曲げ部７ａは、給電端子が自由状態にあるとき図４（Ａ）に示すように接続孔６内例えば第２孔部６ｂの第１孔部６ａ側に突出するように位置されている。この給電端子７には、取付け面Ｓ側を通って取付け部材２内に配線された電源線（図示しない）が接続されていて、電源の供給を受けるようになっている。
【００２７】
ダウンライト本体１１が有する外郭は、上下両端が開口された円筒状の本体ケース１２の一端に合成樹脂製の本体端部材１３をねじ止めするとともに、本体ケース１２の他端に図１（Ｃ）に示したドーナツ形状をなす光出射側の端板１４を取付けて形成されている。本体ケース１２は内蔵部品が発する熱を外部に放出するためにアルミダイキャストで作られている。
【００２８】
この外郭内には電気部品等の内蔵部品が収容されている。本実施形態の場合には、図１（Ｃ）に示した端板１４の中心孔１４ａを通して視認可能な光源１５と、この光源１５を点灯させるための点灯装置（図示しない）と、光源１５が発した光の配光を制御する反射鏡などの配光制御部材（図示しない）等が、外郭に内蔵されている。又、光源１５には発光ダイオードを発光素子としたものが使用されており、それにより、ダウンライト本体１１が小形でかつ例えば２Ｋｇ以下に軽量化されている。
【００２９】
本体端部材１３はダウンライト本体１１の取付け面Ｓ側に位置される端部を形成する部材である。この本体端部材１３の中央部に高さが低い円形の中央凸部１３ａが突設されている。この中央凸部１３ａの内側は前記内蔵部品の一部が配置されるスペースとして利用される。なお、中央凸部１３ａは取付け部材２のセンター孔２ａに嵌合されて、取付け部材２に対するダウンライト本体１１の位置決めができるようにすることが好ましい。
【００３０】
本体端部材１３の周部には本体ケース１３から遠ざかる方向に突出する保護突出部１７が形成されている。
【００３１】
この保護突出部１７は図１（Ｂ）に示すようにダウンライト本体１１の周方向に切れ目なく連続していて、例えばその外周面は図１（Ａ）に示すようにダウンライト本体１１の外周面と面一になっている。そのため、保護突出部１７は、ダウンライト本体１１の中心軸線（図示しない）を中心とする同一半径で描かれる円上に形成された円筒形をなしている。この保護突出部１７の内径は取付け部材２の外径より大きい。
【００３２】
図２に示すように保護突出部１７の突出高さ（長さ）Ａは、中央凸部１３ａより高いとともに、前記側壁部４ｂにより規定された取付け部材２の高さ（厚み）Ｂより短い。
【００３３】
本体端部材１３の保護突出部１７で囲まれた領域に位置して一対の引掛け端子１９が突設されている。これら引掛け端子１９は前記図示しない点灯装置に電気的に接続されてこの点灯装置に対する給電を担うものである。これら引掛け端子１９は、中央凸部１３ａの周りに１８０°隔てて本体端部材１３に配設されている。
【００３４】
図２に示すように各引掛け端子１９は軸部１９ａと頭部１９ｂを有している。軸部１９ａの軸方向と直交する方向の軸部１９ａの断面は円形であるとともに、この軸部１９ａの直径は図４（Ａ）（Ｂ）に示すように前記第２孔部６ｂの幅より小さい。頭部１９ｂは軸部１９ａと同心的に設けられていて、この頭部１９ｂの直径は軸部１９ａより大きい。更に、頭部１９ｂの直径は、図４（Ａ）（Ｂ）に示すように前記第１孔部６ａより小さいが、第２孔部６ｂの幅よりは大きい。図２に示すように引掛け端子１９の突出高さＣは保護突出部１７の突出高さＡより低い。言い換えれば、保護突出部１７が引掛け端子１９より高く形成されている。
【００３５】
軒下等の取付け面Ｓに固定された取付け部材２にダウンライト本体１１を取付けるには、このダウンライト本体１１の本体端部材１３を取付け部材２に被せるように配置して、ダウンライト本体１１を押上げつつ回動させればよい。
【００３６】
それにより、まず、一対の引掛け端子１９の頭部１９ｂが一対の接続孔６の第１孔部６ａに対向すると同時に、図４（Ａ）中二点鎖線で示すように頭部１９ｂが第１孔部６ａを通って取付け部材２内に挿入されるとともに、一対の引掛け端子１９の根元を支持する本端端部材１３の壁部１３ｂが、取付け部材２のベース３に当たる。
【００３７】
次に、引き続くダウンライト本体１１の回動操作により、引掛け端子１９の軸部１９ａが、第１孔部６ａから第２孔部６ｂに入り込むとともに、この第２孔部６ｂの奥端に当たってダウンライト本体１１の回動が妨げられ、それにより、軽量なダウンライト本体１１の取付けが完了する。
【００３８】
こうして取付けが完了した状態では、図４（Ｂ）に示すように引掛け端子１９の頭部１９ｂが接続孔６の第２孔部６ｂの縁部に上方から引っ掛かって、ダウンライト本体１１が取付け部材２に支持される。そして、以上の取付けの際に、頭部１９ｂの側面が給電端子７を弾性変形させながらこの給電端子７の曲げ部７ａを乗り越えて第２孔部６ｂに入り込むので、給電端子７は頭部１９ｂの側面に弾性的に圧接する。しかも、給電端子７の曲げ部７ａが第２孔部６ｂの奥端との間に頭部１９ｂを挟むように復帰するので、引掛け端子１９が第１孔部６ａ方向に不用意に移動することが妨げられる。
【００３９】
したがって、以上の手順により、ダウンライト本体１１は、その一対の引掛け端子１９を取付け部材２の一対の接続部５に電気的かつ機械的に接続して、取付け部材２を介して取付け面Ｓに直付けされる。
【００４０】
そして、保護突出部１７の突出高さＡは取付け部材２の高さＢより短いので、以上の取付けの際、保護突出部１７の先端面が取付け面Ｓを擦って傷付けることがないとともに、取付け面Ｓに邪魔されることなく既述の取付けを行わせることができる。
【００４１】
又、ダウンライト本体１１のメンテナンスを行う際等、ダウンライト本体１１を取付け部材２から外すには、以上の取付け手順とは逆方向にダウンライト本体１１を回動させて、引掛け端子１９を第１孔部６ａに対向させて、下方に引き抜けばよい。
【００４２】
以上のようにダウンライト本体１１に直接設けた一対の引掛け端子１９を取付け部材２の接続部５に引掛けることにより、取付け部材２との電気的かつ機械的な接続を形成してダウンライト本体１１を天井面等の取付け面Ｓに取付け部材２を介して直付けできる。このため、ダウンライト本体１１を取付け面Ｓに押し付ける部品を要さないので、部品点数を削減できるに伴いダウンライト１の構成を簡素化できる。これとともに、ダウンライト本体１１を着脱する際の手間も軽減できる。
【００４３】
ところで、ダウンライト１が取付け施工される現場では、梱包が解かれた包装箱から取出されたダウンライト本体１１が、取付け部材２に取付けられるまでの間、取付け箇所に応じた場所の床面に置かれることがある。
【００４４】
この場合、円筒形のダウンライト本体１１を横にして置くことは転がる可能性があるので好ましくない。又、端板１４を下にしてダウンライト本体１１を縦に置くと転がることはないが、このダウンライト本体１１を作業者が上から掴むと、取付け面Ｓに対する取付けの関係からダウンライト本体１１を上下に向きを変えて持ち替える手間を要する。
【００４５】
ところが、前記構成のダウンライト本体１１は、本体端部材１３に保護突出部１７を突設してあるので、この保護突出部１７を脚として、ダウンライト本体１１を縦に置くことができる。しかも、このように置かれたダウンライト本体１１を作業者が上から掴むと、そのまま手首を反転するだけで、ダウンライト本体１１を取付けに適した向きにすることができる。
【００４６】
そして、既述のように脚として機能する保護突出部１７の突出高さＡは、引掛け端子１９の突出高さＣより高い。そのため、図５に示すようにダウンライト本体１１を、その本体端部材１３を下向きにして床面（載置面）Ｔに置いた場合、引掛け端子１９が床面Ｔに当たらないように保護突出部１７で保護できる。
【００４７】
それにより、ダウンライト本体１１を縦に置くことに伴って、床面Ｔの埃が引掛け端子１９に付着することも、床面Ｔによって引掛け端子１９が変形する恐れも、引掛け端子１９の根元部が埋まっている本体端部材１３の樹脂部分にひびが入る恐れも回避できる。
【００４８】
図６は本発明の第２実施形態を示している。この第２実施形態は、以下説明する事項以外は第１実施形態と同じであるので、第１実施形態と同じ構成については、第１実施形態と同じ符号を付してその説明を省略する。
【００４９】
第２実施形態では、取付け部材２が側壁部４ｂより外側に設けられる周部４ｃを有している。この周部４ｃは、側壁部４ｂから外側方向に突出する例えば略水平状の張り出し壁４ｃ１と、この張出し壁４ｃ１から下方に折り曲げられたカバー壁４ｃ２で形成されている。
【００５０】
張出し壁４ｃ１は天井面からなる取付け面Ｓに接することが好ましいが、この取付け面Ｓとの間に隙間を形成して設けられていても良い。カバー壁４ｃ２は周方向に切れ目なく連続する円筒形をなしている。
【００５１】
このカバー壁４ｃ２は円筒形の保護突出部１７の外周を覆って設けられ、よって、カバー壁４ｃ２の下端は保護突出部１７の上端より低い位置にあるとともに、このカバー壁４ｃ２の内側に保護突出部１７が配置されている。好ましい例としてダウンライト本体１１が回動操作されるときのガイド壁部としてカバー壁４ｃ２を機能させるために、このカバー壁４ｃ２の内径は、この内側に嵌合される保護突出部１７の外径と略等しく設定されている。以上説明した構成以外は第１実施形態のダウンライト１と同じ構成である。
【００５２】
したがって、第２実施形態でも第１実施形態で説明した理由によって本発明の課題を解決できる。その上、以下の点で、第２実施形態は第１実施形態より優れている。
【００５３】
すなわち、ダウンライト本体１１の保護突出部１７と天井面からなる取付け面Ｓとの間の隙間を、取付け部材２のカバー壁４ｃ２により目隠しできる。これにより、取付け状態でのダウンライト１の体裁を向上できる。
【００５４】
更に、ダウンライト１が例えば軒下に直付け設置された場合に、このダウンライト１に向けて水が天井面からなる取付け面Ｓを伝ってくることがあっても、その水をカバー壁４ｃ２により保護突出部１７の外側で下方に導いて、このカバー壁４ｃ２から保護突出部１７の外面に沿わせて水を流下させることができる。したがって、切れ目なく周方向に連続した保護突出部１７で囲まれていて一対の引掛け端子１９が設けられている領域への浸水を抑制できる。
【００５５】
しかも、本実施形態では、カバー壁４ｃ２の内径と保護突出部１７の外径とが略等しく設定されているために、取付け部材２にダウンライト本体１１を取付ける際、カバー壁４ｃ２の内側に保護突出部１７が嵌合されることで、取付け部材２の中心軸線とダウンライト本体１１の中心軸線とを位置合わせできる。そして、この位置決め下において、ダウンライト本体１１を、カバー壁４ｃ２をガイドとしてその内周面に沿って回動できる。したがって、ダウンライト本体１１の一対の引掛け端子１９を取付け部材２の一対の接続部５に容易に接続できるので、取付け部材２に対するダウンライト本体１１の取付け作業性を向上できる。
【００５６】
図７は本発明の第３実施形態を示している。この第３実施形態は、以下説明する事項以外は第２実施形態と同じであるので、第２実施形態と同じ構成については、第２実施形態と同じ符号を付してその説明を省略する。
【００５７】
第３実施形態では、周方向に切れ目なく連続した円筒状の保護突出部１７が、本体端部材１３の外周と面一ではなく、この外周より内側に設けられている。このため、保護突出部１７はダウンライト本体１１の最外径より小径である。この保護突出部１７は取付け部材２の側壁部４ｂとカバー壁４ｃ２との間の円環状の空隙内に挿入されている。こうして挿入された保護突出部１７の外周面は、カバー壁４ｃ２の内周面から大きく離れている。これに対し、保護突出部１７の内径は側壁部４ｂの外径と略等しく設定され、それにより、ダウンライト本体１１が回動操作されるときのガイド壁部として側壁部４ｂが機能されるようにしてある。以上説明した構成以外は第２実施形態のダウンライト１と同じ構成である。
【００５８】
したがって、第３実施形態でも既に説明した理由によって本発明の課題を解決できる上、取付け部材２のカバー壁４ｃ２の目隠し作用で、ダウンライト１の取付け状態での体裁を向上できる。
【００５９】
更に、切れ目なく周方向に連続した保護突出部１７で囲まれていて一対の引掛け端子１９が設けられている領域への浸水を抑制できる。すなわち、ダウンライト１が例えば軒下に直付け設置された場合に、このダウンライト１に向けて水が天井面からなる取付け面Ｓを伝ってくることがあっても、その水をカバー壁４ｃ２で保護突出部１７の外側で下方に導いて、このカバー壁４ｃ２で水を切って滴下させることができる。
【００６０】
しかも、取付け部材２に対するダウンライト本体１１の取付け作業性も向上できる。すなわち、取付け部材２にダウンライト本体１１を取付ける際、側壁部４ｂの外側に保護突出部１７が嵌合されることで、取付け部材２の中心軸線とダウンライト本体１１の中心軸線とが位置合わせされて、この位置決め下において、側壁部４ｂをガイドとしてその外周面に沿ってダウンライト本体１１を回動できる。したがって、ダウンライト本体１１の一対の引掛け端子１９を取付け部材２の一対の接続部５に容易に接続させることができる。
【００６１】
図８（Ａ）（Ｂ）は本発明の第４実施形態を示している。この第４実施形態は、以下説明する事項以外は第１実施形態と同じであるので、第１実施形態と同じ構成については、第１実施形態と同じ符号を付してその説明を省略する。
【００６２】
第４実施形態では、保護突出部１７が周方向に切れ目なく連続した構成ではなく、ダウンライト本体１１の中心軸線を中心とする同一半径で描かれる円上に設けられた複数の円弧状凸部１７ａによって、脚として機能する保護突出部１７が形成されていて、隣接する円弧状凸部間の夫々に排水用の隙間１７ｂを設けている。そして、本体端部材１３の壁１３ｂの内で、取付け部材２の下面と対向する領域の外側は、図示しないが保護突出部１７の内周に向けて次第に下方に傾斜されている。以上説明した構成以外は第１実施形態のダウンライト１と同じ構成である。
【００６３】
したがって、第４実施形態でも既に説明した理由によって本発明の課題を解決できる。その上、本体端部材１３に排水用の隙間１７ｂを設けたことにより、保護突出部１７の内側に配置された一対の引掛け端子１９が設けられている領域への浸水を抑制できる。すなわち、ダウンライト１が例えば軒下に直付け設置された場合に、このダウンライト１に向けて水が天井面からなる取付け面Ｓを伝って、それが取付け部材２から本体端部材１３上に滴下することがあっても、その水を保護突出部１７の隙間１７ｂを通して外部に排出することができる。
【００６４】
なお、本発明はダウンライトに実施を制約されるものではなく、例えば照度センサーやガスセンサ一のように天井面等の取付け面に直付けして設置される電気器具であれば適用可能である。
【図面の簡単な説明】
【００６５】
【図１】（Ａ）は本発明の第１実施形態に係るダウンライトを示す側面図。（Ｂ）は第１実施形態に係るダウンライトのダウンライト本体を示す平面図。（Ｃ）は第１実施形態に係るダウンライトのダウンライト本体を示す下面図。
【図２】図１のダウンライトの上部を一部切欠いて示す側面図。
【図３】図１のダウンライトが備える取付け部材を斜め下方から見て示す斜視図。
【図４】（Ａ）は図１のダウンライトの接続部をそれに引掛け端子が接続される前の状態で示す図。（Ｂ）は図１のダウンライトの接続部をそれに引掛け端子が接続された状態で示す図。
【図５】図１のダウンライトのダウンライト本体が載置面に置かれた状態を一部切欠いて示す側面図。
【図６】本発明の第２実施形態に係るダウンライトの上部を一部切欠いて示す側面図。
【図７】本発明の第３実施形態に係るダウンライトの上部を一部切欠いて示す側面図。
【図８】（Ａ）は本発明の第４実施形態に係るダウンライトを示す側面図。（Ｂ）は第４実施形態に係るダウンライトのダウンライト本体を示す平面図。
【符号の説明】
【００６６】
１…ダウンライト（直付け型電気器具）、２…取付け部材、４ａ…取付け部材の側壁部（ガイド壁部）、４ｃ…取付け部材の周部、４ｃ１…張出し壁、４ｃ２…カバー壁（ガイド壁部）、５…接続部、６…接続孔、６ａ…第１孔部、６ｂ…第２孔部、７…給電端子、１１…ダウンライト本体（電気器具本体）、１３…本端端部材（電気器具本体の端部）、１７…保護突出部、１９…引掛け端子、１９ａ…軸部、１９ｂ…頭部、Ａ…保護突出部の突出高さ、Ｂ…取付け部材の高さ、Ｃ…引掛け端子の突出高さ、Ｓ…取付け面、Ｔ…床面（載置面）
【図１】
2009104948.tif 000003
【図２】
2009104948.tif 000004
【図３】
2009104948.tif 000005
【図４】
2009104948.tif 000006
【図５】
2009104948.tif 000007
【図６】
2009104948.tif 000008
【図７】
2009104948.tif 000009
【図８】
2009104948.tif 000010